Podtech/llm-jp-corpus-v4-ja_patent huggingface dataset:
(57)【要約】      （修正有）【課題】猫砂を平板状にする事で肉球に挟まりにくく、また製造工程で適度な加圧をする事でホコリも少なく成り、猫の顔や魚等を印刷する事も出来て愛猫家に喜ばれる平板状猫砂を提供する。【解決手段】肉球に挟まりにくい、一辺または直径が１０ｍｍ以上で３０ｍｍ以下の平板状猫砂である。更に、平板状猫砂は、厚さ１ｍｍ以上５ｍｍ以下の紙製で、猫の顔又は魚が印刷される。猫砂を平板状（平べったく）する事で一つ一つの猫砂が立ちにくく猫が踏んだ時に肉球に挟まりにくく成り、猫のトイレから室内等に猫砂を持ち込む事も少なく成る。【選択図】図１
0003212160.tif 000002
【実用新案登録請求の範囲】
【請求項１】
肉球に挟まりにくい一辺、または直径が１０ｍｍ以上で３０ｍｍ以下の平板状の猫砂。
【請求項２】
請求項１記載の猫砂は厚さ１〜５ｍｍ以下の紙製の平板状猫砂。
【請求項３】
猫の顔や魚等を印刷した紙製の平板状猫砂。
【考案の詳細な説明】
【技術分野】
【０００１】  一般的な石型、円球型、俵型の猫砂に代わる新しい形状、平板状（平べったい）の猫砂に関するものである。
【背景技術】
【０００２】  従来品の猫砂は猫の肉球に挟まり易くまた、ほこりが出やすい物が多い。
【先行技術文献】
【特許文献】
【０００３】
【特許文献１】特開平０６−００７０５１
【特許文献２】特開２００９−００００８７
【考案の概要】
【考案が解決しようとする課題】  従来品の石型、円球型、俵型の猫砂は猫の肉球に挟まり易く、猫のトイレから室内やこたつの中、時には布団の中まで猫砂を持ち込む事がある。
また、取替時にほこりが舞いやすい商品が多い。
【課題を解決するための手段】  この平板状の猫砂は厚さに対して縦、横を約２倍以上にした形状の為に一つ一つの猫砂が横に寝た状態で立ちにくく、肉球に挟まりにくい。
また、大きさを一般的な市販品より大きくして、縦、横を１０ｍｍ〜３０ｍｍ、厚さを５ｍｍ以下、円形、異形の場合も同じくする事で肉球に挟まりにくい。この大きさは実験の結果最適な大きさであった。
また、縦横を大きくし過ぎても猫の習性で砂を掘ったり排泄物に砂を被せるという行為に適さない。また、厚さも薄過ぎると肉球に貼り付き易い。
【考案の効果】  この平板状の猫砂は肉球に挟まりにくい為、室内やこたつの中、布団の中まで猫砂を持ち込む事が少ない。（実験では一度も無かった。）
適度の圧力を加える事で塊感が有り取替時のほこりも少なくなる。
塊感が有る為に猫の顔（例えばキティーちゃん）や魚等を印刷する事も出来る。印刷すると猫砂がカラフルに成り飼い主も楽しいペットライフを過ごせるだろう。
【図面の簡単な説明】
【図１】  本考案の平板状猫砂の切断タイプの一例を示す斜視図である。
【図２】  本考案の平板状猫砂のプレスタイプの一例を示す斜視図である。
【実施例】  一般的な再生紙等を原料として、トイレットペーパー、キッチンペーパーの厚い商品を作るような工程で製作する。
図１の切断タイプは縦横に切断する事で角形の猫砂が出来上がる。
Ａは正方形の猫砂を示す。（縦横１０〜２０ｍｍ、厚さ１〜５ｍｍ）
Ｂは長方形の猫砂を示す。（縦１５〜２０ｍｍ、横１０〜１５ｍｍ、厚さ１〜５ｍｍ）
図２のプレスタイプはプレス機でプレスする事で色々な形の猫砂が出来上がる。
Ｃは円形の猫砂を示す。（直径１５〜２５ｍｍ、厚さ１〜５ｍｍ）
Ｄはその他の形状の猫砂を示す。（縦２０〜３０ｍｍ、横１０〜２０ｍｍ、厚さ１〜５ｍｍ）
また、工程で適度な加圧をかける事で上下面がある程度滑らかに成る為にホコリも少なくなり、トイレットペーパーの様に印刷する事も出来る。
また、再生紙に尿を吸収しやすくする吸収剤を、尿で猫砂が固まるように粘着剤を他に臭いを抑える成分等を加える事で猫も飼い主も快適な愛猫家ライフを過ごす事が出来る。
【産業上の利用可能性】  猫ブームと云われる今、肉球に挟まりにくくホコリも少ない猫砂は愛猫家に喜ばれるだろう。
また、猫の顔や魚等を印刷した高級品は少しリッチな愛猫家に喜ばれるだろう。
【符号の説明】  Ａ  正方形型の平板状猫砂
Ｂ  長方形型の平板状猫砂
Ｃ  円形型の平板状猫砂  （印刷した例を含む）
Ｄ  その他の平板状猫砂  （印刷した例で有る）
【図１】
0003212160.tif 000003
【図２】
0003212160.tif 000004
【手続補正書】
【提出日】平成29年6月12日(2017.6.12)
【手続補正１】
【補正対象書類名】実用新案登録請求の範囲
【補正対象項目名】全文
【補正方法】変更
【補正の内容】
【実用新案登録請求の範囲】
【請求項１】
肉球に挟まりにくい、一辺または直径が１０ｍｍ以上で３０ｍｍ以下の平板状猫砂。
【請求項２】
請求項１に記載の平板状猫砂であって、厚さ１ｍｍ以上５ｍｍ以下の紙製の平板状猫砂。
【請求項３】
請求項１又は２に記載の平板状猫砂であって、猫の顔又は魚が印刷された紙製の平板状猫砂。
(57)【要約】      （修正有）【課題】電源がない旅先、勤務先、災害時などに高い温熱効果を得ながら低温やけどを防ぐことができる折り畳み式携帯あんかを提供する。【解決手段】二重に縫った布の半分に使い捨てカイロを複数枚装着し、布を二つ折りにして接合した折り畳み式携帯あんかである。【選択図】図１
0003212154.tif 000002
【実用新案登録請求の範囲】
【請求項１】
旅先はもちろん、電源がない、または不足する災害時にも役立つ。使い捨てカイロを複数同時に使用することで広範囲に暖かく活用できる。
【考案の詳細な説明】
【技術分野】
【０００１】
本考案は、電源がない旅先、勤務先、災害時などで複数の使い捨てカイロを貼り付け使用するもの。
【考案の概要】
【考案が解決しようとする課題】
【０００２】
解決しようとする問題点は、電源がない場所での高い温熱効果を得る点
【課題を解決するための手段】
【０００３】
本考案は、二重に縫った布の半分に、貼るタイプの使い捨てカイロを４枚接着する。次に二つ折りにし６か所をホックまたは両面を貼り合わせるテープで止める。
【考案の効果】
【０００４】
複数カイロを使うことで高い温熱効果を得ながら低温やけどを防ぐという利点がある。布のため小さく折りたたみ、携帯が可能という利点もある。
【図面の簡単な説明】
【０００５】
【図１】図１は折り畳み式携帯あんかの実施方法を示した説明図である。（実施例１）
【図２】図２は折り畳み式携帯あんかの実施方法を示した説明図である。（実施例２）
【図３】図３は折り畳み式携帯あんかの実施方法を示した説明図である。（実施例３）
【図４】図４は折り畳み式携帯あんかの実施方法を示した説明図である。（実施例４）
【図５】図５は折り畳み式携帯あんかの実施方法を示した説明図である。（実施例５）
【実施例１】
【０００６】
図１は、本考案の全体図である。縦３８ｃｍ横４８ｃｍ。上部３か所下部３か所にホックを縫い付けて布ずれを防ぐ。
【実施例２】
【０００７】
図２は、本考案の右半分図である。
ホックは両面を貼り合わせるテープでも可。布のずれを防ぐことができる。
【実施例３】
【０００８】
図３は、本考案を使用する際に２つ折りにした図である。
【実施例４】
【０００９】
図４は、本考案を作成する際に布を二重に縫った部分の拡大図である。布を二重にすることで低温やけどを防ぐために役立つ。
【実施例５】
【００１０】
図５は、仕組みをわかりやすくする図である。
【図１】
0003212154.tif 000003
【図２】
0003212154.tif 000004
【図３】
0003212154.tif 000005
【図４】
0003212154.tif 000006
【図５】
0003212154.tif 000007
【手続補正書】
【提出日】平成29年4月15日(2017.4.15)
【手続補正１】
【補正対象書類名】実用新案登録請求の範囲
【補正対象項目名】全文
【補正方法】変更
【補正の内容】
【実用新案登録請求の範囲】
【請求項１】
二重に縫った布の半分に使い捨てカイロを複数枚装着し、前期布を二つ折りに
して接合した折り畳み式携帯あんか。
(57)【要約】      （修正有）【課題】主として家庭内に於いて使用されている腰痛、肩こりの治癒に欠かせない湿布薬剤を、特に自分の手が届かない体の背面の部位に、他人の手を借りる事無く自由自在に貼付する事が出来る湿布薬剤貼付補助器具を提供する。【解決手段】湿布薬剤塗付面に付着防止用フィルムを張付けたタイプの湿布薬剤を、他人の手を頼る事なく貼付することが可能な湿布薬剤貼付補助器具であって、湿布薬剤吸引プレート２と、これに接続するフレキシブルな吸気管３と、吸気管３に接続する小型陰圧ファンモーター４と、これらを支持する移動可能な架台６と、を有する。【選択図】図１
0003212155.tif 000002
【実用新案登録請求の範囲】
【請求項１】
一般的に家庭内及び医療介護施設等で使用される湿布薬剤を、使用者の希望する身体の複数の部位に、他人の手を頼ることなく的確に貼付することを可能とするための構造と機能を備えた湿布薬剤貼付補助器具。
【考案の詳細な説明】
【技術分野】
【０００１】  本考案は、家庭内での使用頻度が最も高いものと推察されるが、一方、医療介護の分野に於いても利用される技術的要素を併せ持つ。
つまり、身障者並びに要介護者のニーズの一部として挙げられる腰痛、肩凝り、筋肉痛等々の快癒に不可欠の湿布薬剤貼付時の補助器具として、斬新な技術分野を起生するものである。
【背景技術】
【０００２】  単一であれ複合であれ、本考案の趣旨を目的とする器具や装置の存在を認識する事は出来ない。
【考案の開示】
【考案が解決しようとする課題】
【０００３】  解決しようとする課題の最重要点の一つは、湿布薬本体を如何にして貼付したい位置に固定させることを可能ならしめるかという点である。
更に、貼付した湿布薬を除去しようとする際に、出来るだけスムーズに剥離出来るように工夫しなければならない。
【課題を解決する為の手段】
【０００４】  一般的な湿布薬剤の形状は、繊維布に薬剤を塗布しその面がプラスチックフィルムで覆われている。
この貼付補助器具に於いて、湿布薬剤本体を歪みや皺の発生しない状態で固定させる方法は、プラスチックフィルムを剥離しないままで吸引プレートにセットすることである。本考案の主たる技術のポイントである吸引プレートは、任意の形状で形成される厚さ５ミリ程の空間を有す柔軟素材で加工された多孔式空圧吸引機能を備えたものである。
この吸引プレートの吸引圧力は、一般の掃除機の二分の一程度である。また、プレートを支えるパイプはフレキシブル型が望ましく、貼付位置を予め任意に定めることが可能と成る。
吸引プレートにセットされた湿布薬剤のフィルムを剥離した上で位置が定まったのを確認し、身体の部位を湿布面に押し当てた後に吸引電源をｏｆｆにすれば貼付動作完了となる手順である。
【考案の効果】
【０００５】  本考案による湿布薬剤貼付補助器具は、装置そのものがコンパクトに纏められるので、軽量且つ良好な操作性を持たせることが可能となる。つまり、主たる骨組みの素材は、軽量アルミ又は硬質プラスチックにて組み立てが可能であり、架台底部に台車様のキャスターを備えることで更に使い勝手が良くなる。
この様なコンセプトを加味した湿布薬剤貼付補助器具は、今まで他人の介助が無くては、自分の手が届かない部分に貼ることが出来なかった身体の背後に、自身の希望する部位に何時でも自由に貼付する事が可能と成るので健康面、精神面とも大いに改善される事となる。
【考案を実施するための最良の形態】
【０００６】  本考案の実施を具現化する第一のポイントは、極めて柔らかい素材で出来ている湿布薬剤を、裏側から支えて保持する方法の解決策であってこの機能を具備する事が肝要となる。
此の命題に答える最良の形態の一つは、湿布薬剤の裏面全体を吸気圧（掃除機の機能同様）による固定保持を可能にすることである。
吸気面を支えるパイプはフレキシブル構造とし、任意の身体の位置にセットする事が容易と成る。
本考案の装置全体の重量は比較的軽量にとどめる事が出来ることから（前項〔０００５〕に記述）高齢者にとっても扱い易い装置となる。
【実施例】
【０００７】  図１は、本考案の実施例の配置概念図である。此の構成機構に於いて人体の背面（１）に対して湿布薬剤吸引プレート（２）と吸気管（３）が主たる稼働部位としてセットされる。
吸気圧の駆動源は（４）の小型陰圧ファンモーターを応用するので、コスト面でも低減可能となる。
装置本体を支える支柱（５）と、架台（６）は小型陰圧ファンモーター（４）と吸気管（３）を支える強度と、転倒防止の機能を備えることを要する。符号（７）はコード付リモコンであり、電源スイッチと小型陰圧ファンモーターのＯＮ／ＯＦＦの機能を備える。
符号（８）は、装置本体の主電源コードを表したもの。
【図面の簡単な説明】
【０００８】
【図１】実施例の配置概念図
【符号の説明】    １  人体背面部
２  湿布薬剤吸引プレート
３  吸気管
４  小型陰圧ファンモーター
５  支柱
６  架台
７  コード付リモコン
８  装置本体主電源コード
【図１】
0003212155.tif 000003
【手続補正書】
【提出日】平成29年3月6日(2017.3.6)
【手続補正１】
【補正対象書類名】実用新案登録請求の範囲
【補正対象項目名】全文
【補正方法】変更
【補正の内容】
【実用新案登録請求の範囲】
【請求項１】
家庭内及び医療介護施設に於いて使用される、湿布薬剤塗付面に付着防止用フィルムを張付けたタイプの市販されている湿布薬剤を、使用者の希望する体の複数の部位に予め位置設定された湿布薬剤吸引プレートをセットし、湿布薬剤貼付固定後吸引エアーを停止することで、他人の手を頼る事なく薬剤を貼付することが可能な湿布薬剤貼付補助器具。
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
湿布薬剤塗付面に付着防止用フィルムを張付けたタイプの湿布薬剤を、他人の手を頼る事なく貼付することが可能な湿布薬剤貼付補助器具であって、湿布薬剤吸引プレートと、これに接続するフレキシブルな吸気管と、吸気管に接続する小型陰圧ファンモーターと、これらを支持する移動可能な架台と、を有することを特徴とする他人の手を頼る事無く薬剤を貼付することが可能な湿布薬剤貼付補助器具。
(57)【要約】      （修正有）【課題】ハンド文字読み取り装置により任意の文書の検索単語文字列を読み取ることで、自動で一括して単語文字列を入力認識できる自動文字入力認識装置付き電子辞書を提供する。【解決手段】ハンド文字読み取り装置１と電子辞書本体３を、接続ケーブル２を介して接続して、電子辞書本体３内に備えた文字認識プログラムにより文字列イメージの文字認識を行い、認識された文字列データにより辞書データベースを検索可能とする。【選択図】図１
0003212159.tif 000002
【実用新案登録請求の範囲】
【請求項１】
ハンド文字読み取り装置と電子辞書本体を、ケーブルを介して接続して、電子辞書本体内に備えた文字認識プログラムにより該読み取り文字の認識を行い、該文字列データにより辞書データベースを検索可能とすることを特徴とする自動文字入力認識装置付き電子辞書。
【請求項２】
ハンド文字読み取り装置内に備えた文字認識プログラムにより該読み取り文字の認識を行い、該文字列データを、ケーブルを介して接続した電子辞書本体に送信して辞書データベースを検索可能とすることを特徴とする請求項１に記載の自動文字入力認識装置付き電子辞書。
【考案の詳細な説明】
【技術分野】
【０００１】  本考案は、電子辞書の文字入力手段に関するものである。
【背景技術】
【０００２】  通常の辞書と違い、容易に目的の単語等を検索できる利点があるので、小型の電子辞書が実用に供されている。辞書検索するための文字入力手段として、実用の電子辞書ではキー入力、手書き文字入力、音声入力などが用いられ、短い文字列入力には実用上十分であった。【０００３】  しかし、従来の文字入力手段、キー入力、手書き文字入力、音声入力などでは所望の検索単語の文字数に応じて、キー入力を繰り返したり、文字を手書きしたり、あるいは文字を発声して、検索単語を構成する文字列を電子辞書検索部に入力データとして渡す必要があり、文字入力に手間がかかるという欠点があった。【０００４】  この改善策として、ハンド文字読み取り装置と電子辞書本体を、ケーブルを介して接続して、入力手段とする方法がある。該入力手段を介して、電子辞書本体内に備えた文字認識プログラムにより該読み取り文字の認識を行い、該文字列データにより辞書データベースを検索可能とする方法である。図１はこの方法による電子辞書システムの実装形態を示すための説明図である。図１で、１はハンド文字読み取り装置、２は接続ケーブル、３は電子辞書本体、４は電子辞書ディスプレイ部である。一般文書の任意の単語を検索する用途において、ハンド文字読み取り装置１を該文書単語に押し当てて、その画像を電子辞書本体３のディスプレイ部４で確認することができる。この手段により、自動文字入力認識を可能とし、該文字列データにより辞書検索する。
【先行技術文献】
【特許文献】
【０００５】
【特許文献１】特開２０１４−０５６５１７号公報
【特許文献２】特開２０１２−１５９９９２号公報
【特許文献３】特開２０１０−１７６５５２号公報
【特許文献４】特開２０００−０２９９８４号公報
【考案の概要】
【考案が解決しようとする課題】
【０００６】  解決しようとする問題点は、従来の入力手段では複数回の１文字入力を繰り返す必要がある点である。
【課題を解決するための手段】
【０００７】  本考案は、自動文字入力認識を可能とするため、ハンド文字読み取り装置と電子辞書本体を、ケーブルを介して接続して、入力手段とすることを最も主要な特徴とする。
【考案の効果】
【０００８】  本考案の自動文字入力認識装置付き電子辞書は、ハンド文字読み取り装置により任意の文書の検索単語文字列を読み取ることで、自動で一括して単語文字列を入力認識できるという利点がある。
【図面の簡単な説明】
【０００９】
【図１】図１は自動文字入力認識装置付き電子辞書の実施方法を示した説明図である。（実施例１、実施例２）
【考案を実施するための形態】
【００１０】  所望の検索単語文字列のイメージを自動文字入力認識するという目的を、最良の接続装置を用いて実現した。
【実施例１】
【００１１】  図１は、本考案システムの実施例の説明図である。ハンド文字読み取り装置１は接続ケーブル２を介して、電子辞書本体３と接続されて、電子辞書ディスプレイ部４に文字列イメージを表示する。【００１２】  電子辞書ディスプレイ部４に表示された文字列イメージを確認しながら、ハンド文字読み取り装置１の文書上の位置決めを行う。文字列イメージ表示枠の概ね中央に文字列イメージが表示されると、電子辞書本体３内の文字認識プログラムにより、文字認識を行う。文字列イメージ表示枠の中央には＋マークが表示されて、文字列イメージの位置決めの補助手段とする。また、文字認識が完了するとピッと確認音を発することにより、該文字列を単語として認識したことの確認補助手段とする。本考案を実施するための形態は入力手段の実装方法にあるので、ハンド文字読み取り装置、プログラム系の説明は省略する。認識された該文字列データに基づき、電子辞書本体３内の単語検索プログラムにより、所望の単語を検索表示する。
【実施例２】
【００１３】  図１の実施例２は、ハンド文字読み取り装置１内に文字認識プログラムシステムを設けた実施例である。ハンド文字読み取り装置１で認識した文字データを、接続ケーブル２を介して、電子辞書本体３に送信して対応する単語検索を行う。
【産業上の利用可能性】
【００１４】  自動文字入力認識装置付き電子辞書により、英単語、日本語単語、その他の外国語単語の意味などを調べるのに、役立つ。特に入学試験受験生にとって、単語調べのスピードアップが図られるのは有用性の高い利用可能性である。
【符号の説明】
【００１５】１  ハンド文字読み取り装置
２  接続ケーブル
３  電子辞書本体
４  電子辞書ディスプレイ部
【図１】
0003212159.tif 000003
【手続補正書】
【提出日】平成29年6月2日(2017.6.2)
【手続補正１】
【補正対象書類名】実用新案登録請求の範囲
【補正対象項目名】全文
【補正方法】変更
【補正の内容】
【実用新案登録請求の範囲】
【請求項１】
ハンド文字読み取り装置と電子辞書本体を、ケーブルを介して接続して、電子辞書本体内に備えた文字認識プログラムにより文字列イメージの文字認識を行い、認識された文字列データにより辞書データベースを検索可能とすることを特徴とする自動文字入力認識装置付き電子辞書。
【請求項２】
ハンド文字読み取り装置内に備えた文字認識プログラムにより文字列イメージの文字認識を行い、認識された文字列データを、ケーブルを介して接続した電子辞書本体に送信して辞書データベースを検索可能とすることを特徴とする請求項１に記載の自動文字入力認識装置付き電子辞書。
(57)【要約】      （修正有）【課題】簡単な構造で伸縮自在、コンパクトで持ち運びに便利であり、先端部分の受枠のサイズを変更して愛犬のフンを直接キャッチできるフン取り器を提供する。【解決手段】プラッチク棒４に取り付けたレバー５を前にスライドすると両サイド２本の針金３が押され受枠アルミ線１の先端が広がり、レバーを引くと受枠が狭まる構造のフン取り器である。【選択図】図２
0003212153.tif 000002
【実用新案登録請求の範囲】
【請求項１】
［５］レバーを前へスライド［３］針金の両サイド２本が押され［１］先端の受枠のアルミ線が広がる仕組みで使用する。
のびるーキャッチャーである。
【考案の詳細な説明】
【技術分野】
【０００１】簡単な構造で伸縮自在  コンパクトで持ち運びに便利  愛犬のフンを直接キャッチ、先端部分の受枠が広がる。
【考案の開示】
【０００２】従来フン取り器は受枠が固定
【考案が解決しようとする課題】
【０００３】従来フン取り器は受枠が固定、ワンちゃんの大きさ、排便の際のクセによっては、フンのキャッチが適さない場合もあり  この考案は先端部分をレバーでスライドすることにより、受枠が広がり、レバーを引くと先端の受枠が狭まる構造である。
【課題を解決するための手段】
【０００４】［５］レバーを前へスライドすることにより、両サイドの［３］針金の部分が押されることで［１］先端の受枠のアルミ線が広がる。
以上の構造による、のびるーキャッチャーである。
【考案の効果】
【０００５】ワンタッチで受枠が広狭
【実施例】
【０００６】以下本考案を実施するための形態について説明
［１］受枠アルミ線［２］プレイト［３］針金
［４］プラッチク棒［５］レバー
【図面の簡単な説明】
【０００７】［４］プラッチク棒に取り付けた［５］レバーをスライド  ［３］針金の両サイドが押れ［１］受枠アルミ線が広狭
【図１】のびるーキャッチャー部分を示した平面図である。
【図２】考案したのびるーキャッチャー使用状況をしめす平面図である。
【符号の説明】
【０００８】１  受枠アルミ線          １
２  プレイト              １
３  針金                  ４
４  プラッチク棒          １
５  レバー                １
【図１】
0003212153.tif 000003
【図２】
0003212153.tif 000004
【手続補正書】
【提出日】平成29年2月13日(2017.2.13)
【手続補正１】
【補正対象書類名】実用新案登録請求の範囲
【補正対象項目名】全文
【補正方法】変更
【補正の内容】
【実用新案登録請求の範囲】
【請求項１】
レバー（５）を前へスライド針金（３）の両サイド２本が押され先端（１）の受枠のアルミ線が広がる仕組みで使用することを特徴とするフン取り器
【手続補正書】
【提出日】平成29年4月4日(2017.4.4)
【手続補正１】
【補正対象書類名】実用新案登録請求の範囲
【補正対象項目名】全文
【補正方法】変更
【補正の内容】
【実用新案登録請求の範囲】
【請求項１】
プラスチック棒を前へスライドすることによりＴ字型部分へ付される左右２本の折れ曲がった針金が貫通するため計４つの穴を有すること、及び、その２つずつの穴同士の距離はプラスチック棒の把持部の幅より広いことがレバー（５）を前へスライド針金（３）の両サイド２本が押され先端（１）の受枠のアルミ線が広がる。
フン取り器。
【手続補正書】
【提出日】平成29年6月8日(2017.6.8)
【手続補正１】
【補正対象書類名】実用新案登録請求の範囲
【補正対象項目名】全文
【補正方法】変更
【補正の内容】
【実用新案登録請求の範囲】
【請求項１】
受枠アルミ線（１）、２本の針金（３）、Ｔ字型のプラスチック棒（４）およびレバー（５）からなるフン取り器であって、
前記プラスチック棒（４）は、その短手方向により形成されるプレイト（２）の両端に２箇所ずつ計４箇所の穴を有し、前記２箇所ずつ存在する穴同士の距離は、前記レバー（５）の径より長く、
前記２本の針金（３）は途中で折れ曲がることでそれぞれ前記２箇所ずつの穴を通りつつ、それぞれの両端が前記レバー（５）に嵌合しており、
前記受枠アルミ線（１）は、前記２本の針金（３）のそれぞれの折れ曲がった部分と前記プレイト（２）により形成される空洞をたわみつつ結んでいる、
フン取り器。
(57)【要約】      （修正有）【課題】冠婚葬祭等の式場において、水引等の帯状体が巻装されているのし袋を受け取った後、のし袋を開口し、収納されている札を数えてその合計金額を確認した上でのし袋を再び密封する際に、のし袋にシワが生じ、帯状体が折損するおそれを防止できる、のし袋を提供する。【解決手段】水引等の帯状体３が巻装されているのし袋１において、帯状体は、のし袋の裏面１ｂ側において左右方向に二分割され、各分割端部３ａ、３ｂは伸縮部材５を介して相互に伸縮自在に連結されている。各分割端部は、面ファスナーを介して相互に接離自在に連結されていてもよい。【選択図】図３
0003212128.tif 000002
【実用新案登録請求の範囲】
【請求項１】
水引等の帯状体が巻装されているのし袋において、
前記帯状体は、該のし袋の裏面側において左右方向に二分割し、各分割端部を伸縮部材を介して相互に伸縮自在に連結したことを特徴とするのし袋。
【請求項２】
水引等の帯状体が巻装されているのし袋において、
前記帯状体は、該のし袋の裏面側において左右方向に二分割し、各分割端部を面ファスナーを介して相互に接離自在に連結したことを特徴とするのし袋。
【考案の詳細な説明】
【技術分野】
【０００１】
本考案は、水引等の帯状体を巻装したのし袋に関するものである。本考案におけるのし袋には祝儀袋と不祝儀袋とが含まれる。
【背景技術】
【０００２】
のし袋には、一般に一万円札、五千円札等の札が収納されるのであるが、のし袋には特開平６−１２７５６８号公報に示すように、しばしば水引等の帯状体が巻装されている。
【先行技術文献】
【特許文献】
【０００３】
【特許文献１】特開平６−１２７５６８号公報
【考案の概要】
【考案が解決しようとする課題】
【０００４】
冠婚葬祭等の式場においては、札を収納したのし袋は一般に受付係に手渡されるのであるが、受付係は、のし袋を受け取った後、のし袋を開口し、のし袋内に収納されている札を数えてその合計金額を確認した上でのし袋を再び密封し、記帳その他の事務を行う。
【０００５】
しかして、水引等の帯状体が巻装されているのし袋を開口し、これを再び密封する際に、しばしばのし袋にシワが生じ、帯状体が折損するおそれがある等の問題が生ずる。
【０００６】
本考案は、水引等の帯状体が巻装されているのし袋におけるこのような問題を解決しようとしてなされたものである。
【課題を解決するための手段】
【０００７】
上記課題を解決するために、本考案は下記ののし袋を提供するものである。
【０００８】
（１）水引等の帯状体が巻装されているのし袋において、
前記帯状体は、該のし袋の裏面側において左右方向に二分割し、各分割端部を伸縮部材を介して相互に伸縮自在に連結したことを特徴とするのし袋（請求項１）。
【０００９】
（２）水引等の帯状体が巻装されているのし袋において、
前記帯状体は、該のし袋の裏面側において左右方向に二分割し、各分割端部を面ファスナーを介して相互に接離自在に連結したことを特徴とするのし袋（請求項２）。
【考案の効果】
【００１０】
[請求項１の考案]
帯状体は、のし袋の裏面側において左右方向に二分割し、各分割端部を伸縮部材を介して相互に伸縮自在に連結したため、水引等の帯状体が巻装されているのし袋を開口し、これを再び密封する際に、該帯状体が伸縮する。したがって、のし袋にシワが生じ、帯状体が折損するおそれ等が解消される。
【００１１】
[請求項２の考案]
帯状体は、のし袋の裏面側において左右方向に二分割し、各分割端部を面ファスナーを介して相互に接離自在に連結したため、水引等の帯状体が巻装されているのし袋を開口し、これを再び密封する際に、のし袋にシワが生じ、帯状体が折損するおそれ等が解消される。
【図面の簡単な説明】
【００１２】
【図１】本考案によるのし袋の一例を示す正面図である。
【図２】同上のし袋の背面図である。
【図３】同上のし袋の平面図である。
【図４】同上のし袋の別の一例を示す平面図である。
【考案を実施するための形態】
【００１３】
のし袋１には、しばしば水引等の帯状体３が巻装されている。しかして、本考案においては、一例として図２、図３に示すように、該帯状体３は、該のし袋１の裏面１ｂ側において左右方向に二分割し、各分割端部３ａ、３ｂを伸縮部材５を介して相互に伸縮自在に連結する。伸縮部材５は、一例としてゴムにより形成してなり、該伸縮部材５の各端部５a、５ｂを帯状体３の各分割端部３a、３ｂに固定する。
【００１４】
図４に示す事例においては、該帯状体３は、該のし袋１の裏面１ｂ側において左右方向に二分割し、各分割端部３a、３ｂを面ファスナー７を介して相互に連結している。面ファスナー７は、一例として、雄部材７aと雌部材７ｂとよりなり、帯状体３の一方の端部３ａにおける一方の面に雄部材７aを取り付け、帯状体３の他方の端部３ｂにおける対応面に雌部材７ｂを取り付ける。
【符号の説明】
【００１５】
１ のし袋
１ｂ 裏面
３ 帯状体
３ａ 分割端部
３ｂ 分割端部
５ 伸縮部材
５a 端部
５ｂ 端部
７ 面ファスナー
７a  雄部材
７ｂ 雌部材
【図１】
0003212128.tif 000003
【図２】
0003212128.tif 000004
【図３】
0003212128.tif 000005
【図４】
0003212128.tif 000006
(57)【要約】      （修正有）【課題】本尊を祀る仏壇と故人の供養を旨とする位牌の本来の趣旨とを混同することなく今日の実情に適ったコンパクトな位牌収納仏具を提供する。【解決手段】前方に開閉扉１ａを有し位牌２を立てて収納できる箱状体１と該位牌２とをセットにして、位牌収納仏具とする。その際、箱状体１の内底部に面状磁石や面状ファスナーのような着脱自在の固定具３を予め取り付けておく。【選択図】図２
0003212199.tif 000002
【実用新案登録請求の範囲】
【請求項１】
前方に開閉扉を有し位牌を立てて収納できる箱状体と該位牌とのセットから成ることを特徴とする位牌収納仏具。
【請求項２】
箱状体の内底部に位牌を立てて着脱自在に固定する固定具を設けた請求項１記載の位牌収納仏具。
【考案の詳細な説明】
【考案の詳細な説明】
【技術分野】
【０００１】この考案は広義の仏具に関し、より具体的には位牌を収めて供養するための位牌収納仏具に関する。
【背景技術】
【０００２】周知の通り、位牌は本尊の収められた仏壇の内部に収められているのが通例である。但しその内部のスペースは限られているから、多数の位牌を必要とする場合では、戒名を記した多数の札板を一つの台座の上に立設した箱型内に収めた繰出位牌の形態をとることもある。
【考案の開示】
【考案が解決しようとする課題】
【０００３】上記のように慣習上、位牌をどこまでも仏壇の内部に収めて一緒に祀ろうとすると、どうしても家庭内に設置する仏壇としては、大きさや設置場所、運搬などにおいて大変な無理や困難を生じがちなのが昨今の実情である。【０００４】そこで本尊を祀る仏壇と故人の供養を旨とする位牌の本来の趣旨とを混同することなく、今日の実情に適ったコンパクトな位牌収納仏具を提供することを本考案の課題とする。
【課題を解決するための手段】
【０００５】前方に開閉扉１ａを有し位牌２を立てて収納できる箱状体１と該位牌２とをセットにして、本考案の位牌収納仏具とする。【０００６】その際の位牌２の形状は、通常よく知られている形に限定されることはない。すなわち図面に例示したような略直方体の台座２ａとその上に立設する戒名を記した札板２ｂから成る基本形状（図２）や、或いは長方形の厚紙体に戒名を記してその表裏をアクリル板で挟んで積層したような板状の基本形状（図３）でも良く、それに施す意匠・装飾上の選択は任意である。【０００７】位牌２を箱状体１内に設置するためには、その固定が着脱自在であることが特に好ましく、そのために箱状体１の内底部に面状磁石や面状ファスナーのような着脱自在の固定具３（の片側）を予め取り付けておくものとする。当然に位牌２側にもそれに対応する磁石や面状ファスナー等（の他側）が取り付けられる。このように設置することによって、地震や運搬時の揺れによる位牌２の転倒を防止するとともに、追加、交換、清掃などの作業を容易にする。【０００８】なお、上記箱状体１内には位牌２の他に遺影、形見、線香、供え物などを収めることは任意である。
【考案の効果】
【０００９】本考案によれば、家屋内における仏壇の位牌設置場所がなかったり新たな仏壇購入ができない場合であっても、仏具の一環として位牌の本来の趣旨でもある故人供養の場を提供することができるという効果がある。
【考案を実施するための形態】
【００１０】約１〜２ｃｍ厚の木版において適宜表面処理を施し、天板、底板、及び側背板を形成するとともに、前面は左右が蝶番連結され中央で合わさる開閉扉１ａを形成して箱状体１とする。寸法は高さ約２８ｃｍ、幅約１５ｃｍ、奥行約１０ｃｍ前後とし、開閉扉１ａにはその中央合わせ部分の外側に例えば房付きの取手１ａｔを設け、また閉じた状態で安定するように磁石（図示せず）を取り付ける。
【００１１】また箱状体１の底板上面にはシート状磁石より成る固定具３を固着させる。
【００１２】位牌２は基本的に従来通りの戒名が記された札板２ｂと厚板状台座２ａとより成り、該台座２ａの底面は予め磁性体で形成しておく。
【００１３】なお別例として、前述のような長方形の厚紙に戒名を記してその表裏を約３ｍｍ厚のアクリル板でサンドイッチ状に挟んで周囲を適宜装飾した形状の位牌２を、箱状体１の内側背面に面状ファスナーないし磁石で着脱自在に固定する形態を挙げることができる（図３）。この場合はその前方に広い空間が空くから、そこに思い出や供え物など多くを置くことができるという特徴がある。また本考案は上記に各種掲げたようなものに限定されないことは勿論である。
【産業上の利用可能性】
【００１４】本考案による位牌収納仏具は、時代の流れによって近年増大しつつある幅広いニーズに沿ったものであり、量産も可能であるから、産業上の利用可能性は十分にあるといえる。
【図面の簡単な説明】
【００１５】
【図１】本考案一例の扉を閉じた状態の正面図
【図２】本考案一例の扉を明けた状態の正面図
【図３】本考案別例の扉を明けた状態の正面図
【符号の説明】
【００１６】１……箱状体    １ａ……開閉扉    １ａｔ……取手    ２……位牌    ２ａ……台座
２ｂ……札板    ３……固定具
【図１】
0003212199.tif 000003
【図２】
0003212199.tif 000004
【図３】
0003212199.tif 000005
(57)【要約】      （修正有）【課題】本来廃棄されるハマの再利用が可能となる装飾ハマを提供する。【解決手段】焼成後のハマの表面にデコパージュ等を行い装飾ハマとして再利用する。【選択図】図３
0003212197.tif 000002
【実用新案登録請求の範囲】
【請求項１】
磁器を焼く際に該磁器の下に轢くハマ（羽間）であって、磁器焼成時に使用された前記ハマに対して少なくとも片面にペイントを施し又は装飾用としてのペーパーや布等を貼り付けてなる装飾ハマ。
【請求項２】
前記ハマに於いて、少なくともペイントを施す面又は装飾用としてペーパーや布等を貼り付ける面に対して前記ハマの表面粗度を低減する手段を施したことを特徴とする請求項１記載の装飾ハマ。
【請求項３】
前記装飾用としてペーパーの貼り付け方法がデコパージュであることを特徴とする請求項１記載の装飾ハマ。
【請求項４】
前記ペイントを施した面又は装飾用としてペーパーや布等の貼り付けた面に防水コーティング剤が塗布されたことを特徴とする請求項１記載の装飾ハマ。
【考案の詳細な説明】
【技術分野】
【０００１】本考案は、磁器を焼く際に回転体の磁器等の下に轢くハマ（羽間）に対して少なくとも片面にペイントを施し又は装飾用としてのペーパーや布等を貼り付けてなる装飾ハマに関する。
【背景技術】
【０００２】焼き物は焼成すると縮むために、該焼き物の下に何も轢かないと該焼き物を搭載する棚板の細かな凹凸に引っ掛かることで器が歪んだり、割れたりする。【０００３】肉厚のある陶器のような場合には歪が生じ難いが、薄造りが特徴の磁器の場合においては、上述の問題が生じる。そのために焼成時に磁器と同時に縮むハマを使用することで該磁器の歪を抑制させる手法が取り入れられている。特に、薄造りになればなるほどハマの効果が現れる。【０００４】具体的に説明すると、ハマは粘土製の丸い敷物であるが、素焼きは焼成される際に１割ほど収縮するためハマも同じ割合で収縮する原料を選定している。【０００５】また、歪の防止のほかに、流れやすい釉薬を掛けた際に棚板を傷つけないようにする効果もある。
【先行技術文献】
【特許文献】
【０００６】
【特許文献１】実用新案公報  平４−３０９７１号
【特許文献２】公開実用新案公報  昭６２−１６６００３号
【０００７】
【非特許文献】
【非特許文献】インタネット（ＵＲＬ：ｈｔｔｐ：／／ｗｗｗ．ａｒｉｔａ−ｐｌｕｓ．ｃｏｍ／ｍｅｍｂｅｒ／ａｎｒａｋｕ／）
【考案の概要】
【考案が解決しようとする課題】
【０００８】上述したように、ハマは磁器の焼成時に歪を抑制するために使用する材料であり、磁器１個に対して１枚のハマを使用し、一度使用すると廃棄される。【０００９】特許文献１は、耐熱陶器製調理用容器に関する文献である。該文献においてハマの定義として、容器本体をテーブル等への載置時にそのテーブル表面に接する該容器の外底面に突出形成された部位を呼んでいる。更に、本考案のハマに於いては窯道具と呼ばれている。同様に、特許文献２に於いても前記容器の外底面に突出形成された部位をハマと称している。【００１０】非特許文献１は、本考案に使用するハマであり、特許文献１に記載されている窯道具のことを指しており、一般的な名称である。
【課題を解決するための手段】
【００１１】上記課題に鑑み、考案者は誠意工夫の結果、本来廃棄処分されるハマの有効活用をすべく、磁器焼成時に使用されたハマに対して少なくとも片面にペイントを施し又は装飾用としてペーパーや布等を貼り付けてなる装飾ハマを提案する。【００１２】前記ハマの少なくともペイントを施す面又は装飾用としてペーパーや布等貼り付ける面に対して表面粗度を低減する手段を施した装飾ハマである。また、前記装飾用としてペーパーの貼り付け方法がデコパージュであることを特徴としている。【００１３】前記ハマのペイントを施した面又は装飾用としてペーパーや布等の貼り付けた面に防水コーティング剤が塗布されたことを特徴としている。
【図面の簡単な説明】
【００１４】
【図１】ハマの基本形状であり（ａ）は側面図、（ｂ）は上面図
【図２】円盤状のハマであり（ａ）は側面図、（ｂ）は上面図
【図３】本考案である装飾ハマの製作フロー
【考案を実施するための形態】
【００１５】以下、本考案に係る実施の形態を図面により説明する。
【実施例】
【００１６】図１は、ハマの基本形状であり（ａ）は側面図、（ｂ）は上面図を示す。通常の小皿と同様の形状を有し上面側は凹型となっており、該凹部に磁器などを載置して焼成される。また、本考案にて使用するハマの形状は、特に限定するものでなく図２に示すように円盤状のハマであり（ａ）側面図、（ｂ）上面図のような異なる形状も使用可能である。【００１７】図３には、本考案であるペーパーナプキンを用いたデコパージュによる装飾ハマの製造フローを示す。第一工程（１）は、焼成後のハマに対して少なくとも装飾する面を番手の大きな紙やすり等を用いて該ハマの表面粗度を低減する工程又は表面汚れや異物の焼き付きをタワシ等により除去する工程であり、表面を磨いた後に水洗いし乾燥させる。第二工程（２）は、装飾する面にデコパージュ用の専用糊を塗布する工程であり、第三工程（３）は、前記専用糊を塗布した面にペーパーナプキンを貼り付ける工程であるが、事前に装飾用として使用するペーパーナプキンの絵柄の付いた方を剥がし、装飾するハマの形状に切り取っておくと作業が円滑に進む。最終工程（４）は、前記貼り付けたペーパーナプキンの上から専用糊を塗る工程であり、乾燥させれば完成する。【００１８】本考案の装飾ハマの使用方法として、香草やアロマオイルなど載せる場合に該ハマに匂いが移ることがある。本来であれば、デコパージュ用の専用糊にはケマージュやデコポッジ・モトポジなど使用されており糊の効果だけでなくコーティング効果もあるが、該装飾ハマの使用用途によっては水洗いの回数が多くなるため、装飾用の材料が剥がれたり傷付いたりするために本考案である装飾ハマのデコパージュさせた面にコーティング剤を上塗りすると耐水性が改善される。【００１９】また、デコパージュさせた面の上から更にレースやアクセサリー等を接着剤で固定することにより、更に優雅な感じが得られる。【００２０】なお、本考案にかかる装飾ハマの具体的な構成は、実施形態に記載したものに限られるものでなく、考案の要旨を逸脱しない範囲で変更可能である。例えば、装飾用として新聞紙や押し花、布や写真、あるいは転写シートを用いた絵柄の転写など使用することが可能である。
【考案の効果】
【００２１】本考案によれば、装飾ハマを製造することで本来廃棄されるハマの再利用が可能となり産業廃棄物の削減にも繋がる。また、窯業の盛んな地域に於いては、土産として販売するだけでなく地域おこしとしての活用もできる。
【符号の説明】
【００２２】  １      第一工程
２      第二工程
３      第三工程
４      最終工程
【図１】
0003212197.tif 000003
【図２】
0003212197.tif 000004
【図３】
0003212197.tif 000005
(57)【要約】      （修正有）【課題】安価で、使いやすい、火災や自然災害から災害を防ぐのぞき窓付き防災シートを提供する。【解決手段】（イ）防災シートにのぞき窓用透明シート１−１を設ける、（ロ）防災シートの縁ぐるりに防災シート取り付け穴１−２及び防災シート連結穴を等間隔に設ける、以上の構成よりなる。【選択図】図４
0003212166.tif 000002
【実用新案登録請求の範囲】
【請求項１】
（イ）防災シート（１）にのぞき窓（透明シート部分）（２）、（２）を設ける。
（ロ）防災シート（１）に防災シート取り付け穴及び防災シート連結穴を等間隔に設ける（３）
以上の構成よりなる火災や自然災害から災害を防ぐのぞき窓付き防災シート
【考案の詳細な説明】
【技術分野】
【０００１】本考案は、熱や、摩擦、衝撃、に強い材料から作った防災シートに関する。
【背景技術】
【０００２】従来火災には水を掛けて消すか、泡消火器による消火が主流であった。
【考案の概要】
【考案が解決しようとする課題】
【０００３】しかしながら、水を消防車で掛けても五分もすれば水槽が空になり、何十台の消防車の応援があっても、水槽や水に限りがあり消防車が使えない欠点がある。
又、火元は空気の対流作用が早くそれを抑制することが出来ず、更に、隣家への延焼、類焼、飛び火への防護の欠点があった。
【課題を解決するための手段】
【０００４】本考案は、軽量で、熱や衝撃に強い素材を使い、中の様子が良く確認出来るのぞき窓付き防災シートを使うことにより、火事の進行を止め、火事の拡散や、飛び火を防ぐことが出来る。
これにより上記課題解決の一つになる。
【考案の効果】
【０００５】本考案に係る防災シートは、火事の火元を早期に包み込む事が出来、空気の対流作用を押さえ火事の拡散を最小限度に止めることが出来る。
火元の隣家にたいしてはいち早く防災シートを屋根や軒先に張る事により防火壁を作ることが出来る。
地域については、全体に防災シートを張ることにより、俊時に防火帯が作れ、類焼、延焼、飛び火が防げる。
防災シートであれば持ち回りも軽量で、費用も他の消火用具と比べれば格段に安く効果はバツグンである。
この防災シートは住民全員が消火に携わることが出来実用性は特に優れたものである。
【図面の簡単な説明】
【０００６】
【図１】本考案に係る防災シートの製造における、のぞき窓透明シートの取り付け工程図である。
【図２】本考案に係る防災シートの固定穴の取り付け工程図である。
【図３】本考案に係る防災シートの防災シート連結ひも二本の取り付け工程図である
【図４】本考案に係る図１と図２と図３の取り付け図を組み合わせたものが図４の防災シートの正面図である。
【考案を実施するための形態】
【０００７】図１に示すように、防災シート１に、のぞき窓用透明シート（２）を付ける
次に、図２に示すように、防災シート１の縁ぐるりに固定穴（３）を付ける
更に、防災シートが何枚でも連結出来るようにひも二本を防災シートに縫い付ける、この場合、固定穴が防災シートでふさぐように、連結ひもは固定穴より中に縫い付ける（４）。
【０００８】図３に示すように、のぞき窓用透明シート及び固定用穴、連結シート用ひもの取り付け加工を施す。
【０００９】上記工程により完成した本考案の防災シートは、火元の火の拡散を防ぎ、対流作用の空気の流れを止め、酸素不足を生じさせて鎮火を早める。
又、防火壁、防火帯を作ることにより、火事の拡散、飛び火を防げる。
この現象を見て、教訓として、消火方法の一つとして学ぶことが出来る。
【符号の説明】
【００１０】１  防災シート
１ー１  のぞき窓用透明シート
１ー２  防災シート固定穴
１ー３  防災シート連結用ひも
（防災シートを大きく拡大したい時は、固定穴にひ通してむすめばいくらでも大          きくすることが出来る）
【図１】
0003212166.tif 000003
【図２】
0003212166.tif 000004
【図３】
0003212166.tif 000005
【図４】
0003212166.tif 000006
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
（イ）防災シートにのぞき窓用透明シートを設ける
（ロ）防災シートの縁ぐるりに防災シート取り付け穴及び防災シート連結穴を等間隔に設ける
以上の構成よりなる火災や自然災害から災害を防ぐのぞき窓付き防災シート。
(57)【要約】      （修正有）【課題】鍋本体の中央を待半分に縦に分割し、麺類が直接食器に自在に落下することにより時短となり、手や衣類が湯をかぶるのを防ぐ麺類湯がき器を提供する。【解決手段】麺類を湯がく鍋又は笊の中央を縦待半分にＡ，Ａ’と分割し、そのＡ，Ａ’の上部接点に蝶番Ｃ，Ｃ’を設けることにより、鍋又は笊の下部が開閉自在となり鍋の把持部Ｂ，Ｂ’又は笊の把持部を押すことにより鍋又は笊の下部が開き、麺類が食器類に直接落下することにより簡素化され、又、手や衣類に湯がかかるのを防止可能となる。又、麺類を湯がくための笊の底辺が空洞で、その空洞部に開閉自在とした蓋を設けて、笊の下部が開き、麺類が食器類に直接落下することにより上記鍋類同様に防止可能となる。【選択図】図１
0003212163.tif 000002
【実用新案登録請求の範囲】
【請求項１】
麺類を湯がくための鍋又は笊を縦待半分に分割し、その鍋又は笊の上部接点に蝶番を設けて把持部を左右に引く、又は、押すことにより、鍋又は笊の下部を開閉自在としたところを特徴とする麺類湯がき器
【請求項２】
笊の底辺が空洞で筒状になっており、その筒状笊の底辺に蓋を設け、筒状笊と蓋との接点に蝶番を設け、開閉自在としたところを特徴とする麺類湯がき器
【考案の詳細な説明】
【技術分野】
【０００１】  本考案は、麺類湯がき鍋又は笊を縦待半分に分割し、その縦待半分に分割された湯がき鍋又は笊の上部接点に蝶番を設けた麺類湯がき鍋に関するものである。
又、笊の底辺が空洞の筒状で、その空洞部の底辺に蓋を設け、その一点に蝶番を設けて自在に開閉する蓋を設けた麺類湯がき器。
【背景技術】
【０００２】  スパゲッティやうどん、ラーメンなどの麺類（以下、麺類と言う）を湯がき鍋又は笊（以下、鍋類と言う）からフライパン又は食器（以下、食器類と言う）に移す際、鍋類を逆さまにして食器類に移していた。
【考案の概要】
【考案が解決しようとする課題】
【０００３】  鍋類から食器類に麺類を移す際、鍋類の把持部を持って底を上にして逆さまにし、斜めにして麺類を食器類に流し込んでいたが、流し込みにくく、又、湯が手や腕にかかると熱いし衣類も濡れて不愉快である。従って、鍋類の中央を縦待半分に分割し、その鍋類の上部の接点に蝶番を設け、把持部を左右に引く、又は押すことによりその蝶番を支点として鍋類の底部が開き、麺類が直接食器類に落下することにより前述の欠点を解決しようとするものである。
又、笊は半分に分割された笊ではなく、底辺が空洞の筒状で、その空洞部の底辺に蝶番により自在に開閉する蓋を設けた笊も考えられる。
【課題を解決するための手段】
【０００４】  本考案は、鍋類の中央を縦待半分に分割し、上部分割面の接点に蝶番を設け、上部両サイドにある把持部を左右に引く、又は押すことにより鍋類の底半分が割れ、麺類が自在に滑り落ちるようにすることにより問題点を解決している。
又、笊は半分に分割された笊以外、底辺が空洞で、その空洞部を自在に開閉する蓋を設けた笊も考えられる。
【考案の効果】
【０００５】  上述の様に、本考案の鍋類の中央が縦待半分に分割された構造、又は、笊が底部のない筒状の空洞で、その空洞部の底辺と同サイズの蓋を蝶番でつなぐことにより蓋が開閉自在となり、湯がいた麺類を湯切りしたのち鍋類を逆さまにして麺類を食器類に移動させるというアクションが不必要となる。よって、瞬時に麺類を鍋類から食器類に直接落下して移すことが出来、時間短縮及び湯を浴びることも衣類を濡らすこともなく麺類を移動させることが出来る。
【図面の簡単な説明】
【０００６】
【図１】本考案の鍋の実施例を示す斜視図である
【図２】本考案の鍋の使用図である又、
【図３】本考案の笊の斜視図である
【図４】本考案の笊の使用図である
【図５】本考案の蓋付笊の斜視図である
【考案を実施するための形態】
【０００７】  鍋類の中央を待半分に縦に分割し、その鍋類の上部接点に蝶番を設け、底部の半分が開閉自在となり、下半分を開くことにより湯がいた麺類を食器類に瞬時に直接落とし入れることが可能となる。
又、麺類を湯がくための笊の底辺が空洞な筒状になっており、その筒状笊の底辺に蝶番により開閉自在とした蓋を設け、麺類を食器類に瞬時に直接落とし入れることが可能となる。
【実施例】
【０００８】  以下、添付図面に従って一実施例を説明する。Ａ、Ａ’はステンレス製その他の金属にて形成された鍋１又は笊２の中央を縦待半分に分割された鍋又は笊、Ｃ、Ｃ’は鍋又は笊を分割したＡ、Ａ’の接点に設けた蝶番、Ｂ、Ｂ’は分割された鍋Ａ、Ａ’のそれぞれに設けた把持部、その把持部を押したり引いたりすることにより鍋１又は笊２の底部が開閉自在となり、麺類が食器類に落下する。Ｇは底辺が開閉自在となっている笊の把持部、Ｊは把持部の頂点にある開閉させるためのプッシュボタン、Ｈは笊２の筒状空洞部の底辺に蝶番Ｃによって接続されている開閉自在の蓋、そのプッシュボタンＪを押すことにより開閉自在の蓋Ｈを開くことが出来、麺類が食器類に落下する。
【符号の説明】
【００１０】  １            鍋本体
２            笊本体
Ａ  Ａ’      待半分に分割された鍋又は笊
Ｂ  Ｂ’      鍋Ａ  Ａ’のそれぞれに設けた把持部
Ｃ  Ｃ’      鍋Ａ  Ａ’の接点に設けた蝶番
Ｄ            フライパン
Ｅ            麺類
Ｆ            食器
Ｇ            笊の把持部
Ｈ            笊の蓋
Ｊ            笊を開閉させるためのプッシュボタン
【図１】
0003212163.tif 000003
【図２】
0003212163.tif 000004
【図３】
0003212163.tif 000005
【図４】
0003212163.tif 000006
【図５】
0003212163.tif 000007